(57)【要約】【課題】  既設の越流堰をはつる等の工事を一切必要とせずに設置することができるとともに、雨天時の非特定汚染源からの夾雑物の河川等への流れ込みを効果的に防ぐことができ、夾雑物の除去による河川や周辺環境の景観を改善できるろ過装置を提供することにある。【解決手段】  夾雑物を掻き寄せるスクリュー２３と、処理水を排出するスクリーン２２と、前記スクリュー２３を制御する制御盤１７とからなるろ過装置である。【選択図】        図１
2005177690.tif 000002
【特許請求の範囲】
【請求項１】
夾雑物を掻き寄せるスクリューと、処理水を排出するスクリーンと、前記スクリューを制御する制御盤とからなることを特徴とするろ過装置。
【請求項２】
雨水吐室に設置したことを特徴とする請求項１記載のろ過装置。
【請求項３】
夾雑物を掻き寄せるスクリューと、処理水を排出するスクリーンと、前記スクリューを制御する制御盤とからなるろ過装置において、前記制御盤を雨水吐室に備えることを特徴とするろ過装置。
【請求項４】
夾雑物を掻き寄せるスクリューと、処理水を排出するスクリーンと、前記スクリューを制御する制御盤とからなるろ過装置において、前記スクリューがリボンスクリューであることを特徴とするろ過装置。
【請求項５】
夾雑物を掻き寄せるスクリューと、処理水を排出するスクリーンと、前記スクリューを制御する制御盤とからなるろ過装置において、前記スクリューにブラシを備えたことを特徴とするろ過装置。
【発明の詳細な説明】
【技術分野】
【０００１】
本発明は、下水中の夾雑物等を効率的に除去するために適用するろ過装置に関するものである。
【背景技術】
【０００２】
一般に下水道では、雨天時に非特定汚染源からの夾雑物が流れ込み、下水処理場に集められない下水は、雨水吐室から汚水とともに夾雑物が直接、河川に放流されている。その夾雑物により河川や周辺環境の景観を損なう状況がある。この下水中の夾雑物等の除去は一般にバースクリーン等を用いて行っている。
【０００３】
図１２は従来のバースクリーンが設置された雨水吐室を示す概略縦断正面図、図１３は図１２の概略縦断側面図である。
図１２，１３において、１は雨水吐室、２はその雨水吐室１を上流側と下流側に仕切る既設の越流堰であり、この越流堰２を図１２に斜線で示すように、はつり工事した後、その越流堰２上に夾雑物捕捉用のバースクリーン３を設置している。このように、既設の越流堰２をはつって、その越流堰２の上端に設置されたバースクリーン３は、上下方向に隣り合う複数の細長い平板状のバーを狭い平行間隔でユニット化したもので、そのバースクリーン３の狭い間には掻寄レーキ（図示せず）が配置されている。４は前記掻寄レーキを駆動するための油圧ユニット、５はその油圧ユニット４の電源をとるための引込電柱である。
【０００４】
次に、上記従来例の動作について説明する。
流入管渠から雨水吐室１内の上流側に流入した汚水（雨水）中の夾雑物は越流堰２上のバースクリーン３で捕捉された後、掻寄レーキで上流側に戻され、その夾雑物を含んだ上流側の汚水は遮集管渠から処理場に送られる一方、前記バースクリーン３を通過した汚水は放流管渠から河川等に放流される。
【０００５】
なお、上記先行技術は当業者一般に知られた技術であって、文献公知発明に係るものではない。
【発明の開示】
【発明が解決しようとする課題】
【０００６】
従来のように夾雑物除去にバースクリーン３を用いると、次のような課題があった。
（１）雨水吐室１にバースクリーン３を設置する場合、そのバースクリーン３を雨水吐室１の出入口から搬入することが難しくなることが多い。
（２）一般的に大容量の汚水を処理するには、損失水頭が大きくなり、水位上昇によるマンホール等からの溢水の懸念があり、その損失水頭を減少させるためには既設の越流堰２をはつる等の土木工事が必要となるが、その土木工事は大がかりな工事となり、バースクリーン設置のための工事費用が大きく嵩む結果となる。
（３）バースクリーン３の狭い間に掻寄レーキが配置されているため、夾雑物の噛み込みに起因したバースクリーン３の変形が生じ易く、故障の原因になる。
（４）掻寄レーキは油圧駆動のため、その駆動手段としての油圧ユニット４は歩道等への設置となり、美的環境の悪化や通行の邪魔になる。
【０００７】
本発明は上記のような課題を解決するためになされたもので、既設の越流堰をはつる等の工事を一切必要とせずに設置することができるとともに、雨天時の非特定汚染源からの夾雑物の河川等への流れ込みを効果的に防ぐことができ、夾雑物の除去や地上設備をスリムにすることで河川や周辺環境の景観を改善できるろ過装置を提供することを目的とする。
【課題を解決するための手段】
【０００８】
本発明に係るろ過装置は、夾雑物を掻き寄せるスクリューと、処理水を排出するスクリーンと、前記スクリューを制御する制御盤とからなることを特徴とする。
【０００９】
本発明に係るろ過装置は、雨水吐室に設置したことを特徴とする。
【００１０】
本発明に係るろ過装置は、夾雑物を掻き寄せるスクリューと、処理水を排出するスクリーンと、前記スクリューを制御する制御盤とからなるろ過装置において、前記制御盤を人孔または雨水吐室に備えることを特徴とする。
【００１１】
本発明に係るろ過装置は、夾雑物を掻き寄せるスクリューと、処理水を排出するスクリーンと、前記スクリューを制御する制御盤とからなるろ過装置において、前記スクリューがリボンスクリューであることを特徴とする。
【００１２】
本発明に係るろ過装置は、夾雑物を掻き寄せるスクリューと、処理水を排出するスクリーンと、前記スクリューを制御する制御盤とからなるろ過装置において、前記スクリューにブラシを備えたことを特徴とする。
【発明の効果】
【００１３】
この発明によれば、次のような種々の優れた効果が得られる。
（１）雨天時の非特定汚染源からの夾雑物の河川への流れ込みを防ぐことができ、夾雑物の除去による河川や周辺環境の景観を改善できる。
（２）雨水吐室内への搬入は主な構成部品であるスクリュー、スクリーン、堰プレート、モータ、支持材を個々に分割できるので、雨水吐室出入口から容易に搬入することができる。また、スクリーン自体やスクリューもさらに分割可能であるので、スクリュー径が雨水吐室出入口より小さければ、装置の長さに関係なく雨水吐室出入口より搬入することができる。それゆえ、ろ過装置を設置するための大がかりな土木工事を必要とせず、工事費を削減できる。また、マンホールに設置する場合も同じように搬入や設置が容易である。
（３）本発明のろ過装置は、スクリーンの位置調整（水平調整）により、大容量の汚水を処理するのに損失水頭が大きくなったり、水位上昇による雨水吐室出入口等からの溢水の懸念がなくなった。それゆえ、損失水頭を減少させるために既設の越流堰をはつる等の工事が不要となる。すなわち、雨天時の流入水位と同等または低い位置で稼動させるため、本発明装置の設置位置より上流の管渠の水位が上昇するなどの影響がでない。また、設置のためには、既設の越流堰の後ろにスペースがあればよく、越流堰の高さの調整は一切必要とせずにすむ。
（４）軸のないリボンスクリューにすると、大きな夾雑物がつかえることが更になくなり、処理水量も更に増加するができる。
（５）スクリューに夾雑物の噛み込みがないので、故障し難くなった。
（６）スクリューの外周縁部にブラシが取り付けてあるスクリューで夾雑物を掻き寄せるため、スクリーン洗浄の効果により夾雑物によるスクリーンの目詰まりを防止することができる。
（７）住宅用鋼管引込小柱には電力量計が付帯するのみで、地上部はコンパクトな外観となる。
（８）駆動装置は防水型の電動機を使用し、制御盤は雨水吐室に設置するため、美観環境の悪化や通行の邪魔にならないという効果がある。
（９）防水型の制御盤を雨水吐室に設置できるので、周辺の美観を損なわない。
（１０）なお、制御盤の設置方式は電力量計以外の主開閉器、開閉器、シーケンサ、非常通報装置を防水制御盤に納め雨水吐室に設置する吐室内全設置方式である。その設置の都合で、主開閉器、開閉器を電力量計と共に住宅用鋼管引込小柱に設置する一部吐室設置方式、地上部に場所がある場合には防水制御盤に主開閉器、開閉器、シーケンサ、非常通報装置を納め埋設地上埋設方式を用いることもできる。そのことで、地上設備がスリムにできる。
（１１）コストは、動力が電動機のみであるのと、ろ過装置を設置する際の人孔の改造が不要であるのと、運転が自動であり、捕捉した夾雑物を自動的に遮集管などに移送できるので、し渣処理作業がいらないなど維持管理が不要となって安価となる。
（１２）保守管理も電気系統のみの管理でよいので容易となる。
（１３）夾雑物除去にスクリューを用い、流れ方向に沿って掻き寄せた夾雑物をスクリーン端部のスクレーパ機で掻き上げ、越流堰の上流側に戻して、遮集管等へ流し込むことで夾雑物を除去するので、し渣処分作業がいらないなど維持管理が容易である。さらに、カム係合部材と吐き出し補助板を設けることで、より確実に夾雑物除去を行うことができる。また、スクレーパにヒンジを設けることで夾雑物の跳ねだしが良くなり、スクレーパとの間で夾雑物が詰まるようなトラブルがさらに減少するという効果がある。
【発明を実施するための最良の形態】
【００１４】
以下、本発明の実施の一形態を説明する。
実施の形態１．
図１は本発明の実施の形態１によるろ過装置を備えた雨水吐室を破断して示す斜視図、図２は図１の概略断面図である。
図において、雨水吐室１０は既設の越流堰１１によって上流側１０Ａと下流側１０Ｂとに仕切られ雨水吐室出入口１０Ｃを有している。雨水吐室１０の上流側１０Ａには、流入管渠１２，１３と遮集管渠１４が接続され、下流側１０Ｂには放流管渠１５が接続されている。かかる雨水吐室１０の越流堰１１には、ろ過装置２１が設置されており、そのろ過装置２１の詳細な構造については後述する。また、雨水吐室１０の内壁面には、投込式水位計１６と、駆動装置２９を制御する制御盤（図示せず）を内蔵した防水端子箱１７が設置されている。さらに、前記雨水吐室１０の外壁には住宅用鋼管引込小柱１８が設置され、これに電力量計１９と開閉器２０が設置してある。
【００１５】
次に、ろ過装置２１の詳細な構造について説明する。
図３は図１中のろ過装置を拡大して示す平面図、図４は図３の一部切欠正面図、図５は図４の断面図、図６はスクリューのブラシ取付部の拡大断面図である。
前記ろ過装置２１は、前記越流堰１１の下流側壁面に沿って水平に設置され夾雑物を捕捉するとともに処理水を排出するスクリーン２２と、このスクリーン２２内に組み付けられて夾雑物を軸方向一端側に掻き寄せるスクリュー２３と、このスクリュー２３のスクリュー軸２３ａに連動して掻き寄せ夾雑物を前記越流堰１１の上流側１０Ａに戻すスクレーパ機３０とを備えている。
【００１６】
さらに詳しく説明すると、前記スクリーン２２は断面半円形状のパンチングメタルからなる。このようなスクリーン２２の水位は管渠内の動水位と同等または低い位置、すなわち、雨天時の流入水位と同等または低い位置に設定される。これは、スクリーン２２の上端の高さが雨水吐室１０の上流側１０Ａの流入水位と同等または低くなるようにスクリーン２２を雨水吐室１０の越流堰１１に設置する構成としたものである。また、スクリーン２２の設置には、前記越流堰１１の後ろ（下流側）にスペースがあればよく、越流堰１１の高さを調整する必要はない。
【００１７】
前記スクリーン２２の直径は、３００、５００、７００ｍｍなど任意に対応でき、長さについても１、１．５、３ｍなど堰の長さにより任意に対応できる。また、スクリーン２２のパンチング穴は、３ｍｍ穴径、４．５ｍｍピッチ、４ｍｍ穴径、５．５ｍｍピッチ、６ｍｍ穴径、８ｍｍピッチで千鳥状配列とするが、越流水の通過が可能で、強度が保証されれば、穴寸法とピッチは自由であり、平行並列としてもよい。
【００１８】
前記スクリュー２３の外周縁部には、図６に示すように、樹脂（ナイロン）製のブラシ２４がブラシ止め具２５とボルト・ナット２６によって一体的に取り付けられている。そのブラシ２４は、前記スクリュー２３の回転時に前記スクリーン２２に摺接して夾雑物を掻き寄せ、夾雑物によるスクリーン２２の変形や目詰まりを防止するものである。また、前記スクリュー２３の移送終端側において、前記スクリーン２２の端部には、スクリュー２３の軸方向に移送されてきた夾雑物を集約するための集約部２７が設けられている。また、前記集約部２７の近傍におけるスクリーン２２側には吐き出し補助板２８が配置されている。この吐き出し補助板２８は、後述するスクレーパ３１で掻き寄せられた夾雑物をよりスムーズに排出するためのものである。
【００１９】
また、スクリーン２２の端部にシュート（図示せず）を取り付けて夾雑物をシュートに落とし込み除去する。これは、捕捉した夾雑物をスクリーン２２から離れた場所にまで移送したい場合や現地で搬出、貯留したい場合などに用いる。
なお、前記スクリュー２３を回転駆動する駆動装置２９としては、水没式防水型の減速機付き電動機が使用される。
【００２０】
一方、前記スクレーパ機３０は、前記集約部２７の上方に配置されて軸Ｐで上下方向へ回動自在に支持されたスクレーパ３１と、前記スクリュー２３の位相終端側の壁に結合されて前記スクレーパ３１を跳ね上げる偏心カム３２とからなっている。その偏心カム３２は、スクリュー軸２３ａに一体化されて前記スクリュー２３の移送終端側の末端に連なるカムプレートからなっている。なお、偏心カム３２は上述のようなプレート状のものに特定されるものではなく、その他の例えばブロック状のものであってもよく、要するに、スクレーパ３１の動きを支援できる耐久性があればよい。
ここで、前記スクレーパ３１には、その下方に突出して前記偏心カム３２に当接するカム係合部材３１ａが設けられている。
【００２１】
図８は本発明のろ過装置の概略断面図（スクレーパ３１の別形態）であり、図５と同一部分には同一符号を付して重複説明を省略する。
この実施の形態２では、上記実施の形態１におけるスクレーパ３１の両側壁先端側およびカム係合部材３１ａの先端側をそれぞれ削除するとともに、スクレーパ３１の先端側底板部３１ｂを両側壁がない首振り底板部３１ｂとして分離し、この首振り底板部３１ｂを前記スクレーパ３１の本体側底板部の先端にヒンジ３１ｃで上下方向に首振り自在に連結したものである。ここで、前記ヒンジ３１ｃとしては、前記首振り底板部３１ｂをスクレーパ３１の本体側底板部と同一面状となる位置で保持してその保持位置から下方へは回動しない蝶番が適用される。
【００２２】
このように、スクレーパ３１の先端側底板部を両側壁がない首振り底板部３１ｂとすることにより、吐き出し補助板２８との間での夾雑物の跳ねだしが良くなり、吐き出し補助板２８とスクレーパ３１との間に夾雑物がつかえるようなトラブルをいっそう確実に防止することができるという効果がある。
なお、前記首振り底板部３１ｂは、スクレーパ３１の本体側よりも先行して偏心カム３２で強制的に跳ね上げるようにすることも可能である。
【００２３】
以上のように構成されたろ過装置２１は、その構成部品であるスクリーン２２とスクリュー２３とスクレーパ３１と駆動装置２９のそれぞれを個々に現場へ搬入できるように組立分解可能な構成となっている。
【００２４】
次に動作について説明する。
流入管渠１２，１３から雨水吐室１０の上流側１０Ａに流入した汚水（雨水等）は、遮集管渠１４に向かう流れと越流堰１１を越える流れとに分流される。越流堰１１を越えた汚水はろ過装置２１に流れ込むことにより、その汚水中の夾雑物がスクリーン２２で捕捉される。スクリーン２２で捕捉された夾雑物は、スクリュー２３により軸方向に移送されて集約部２７に集約される。集約部２７に集約された夾雑物は、スクリュー軸２３ａの１回転毎に掬い上げられて雨水吐室１０の上流側１０Ａに跳ね戻される。すなわち、前記スクリュー軸２３ａと一体に偏心カム３２が回転しており、その偏心カム３２にスクレーパ３１のカム係合部材３１ａが当接していることにより、そのカム係合部材３１ａを介してスクレーパ３１が前記偏心カム３２で１回転毎に跳ね上げられる。このときの偏心カム３２とスクレーパ３１の関連動作を図７に示す。その動作により、前記集約部２７に集約されて一時的に溜められた夾雑物が前記スクレーパ３１で掬い上げられて雨水吐室１０の上流側１０Ａに戻される。雨水吐室１０上流側１０Ａに戻された夾雑物は汚水とともに遮集管渠１４から処理場に送られる。一方、スクリーン２２で夾雑物が捕捉除去されてスクリーン２２を通過した汚水は放流管渠１５から公共用水路等に放流される。
【００２５】
以上説明した実施の形態１によれば、雨水吐室１０内の越流堰１１に沿って水平に配置した夾雑物捕捉用通水性のスクリーン２２と、このスクリーン２２内に組み付けられて駆動装置２９で回転駆動されることにより前記スクリーン２２で捕捉された夾雑物を軸方向一端側に移送するスクリュー２３と、このスクリュー２３による夾雑物移送終端側でその近傍に上下方向へ回動自在に配置されたスクレーパ３１とを備え、前記スクリュー２３のスクリュー軸２３ａに偏心カム３２を一体的に設け、この偏心カム３２で前記スクレーパ３１を跳ね上げることにより、そのスクレーパ３１で夾雑物を掬い上げて雨水吐室１０の上流側１０Ａに戻すように構成したので、従来のバースクリーンのように夾雑物を噛み込んで変形するような危惧がなくなり、スクリーン２２で捕捉してスクリュー２３で軸方向一端側に移送された夾雑物を、偏心カム３２で動作するスクレーパ３１で掬い上げて雨水吐室１０の上流側１０Ａにスムーズに戻すことができるという効果がある。
【００２６】
また、上記実施の形態１によれば、ろ過装置２１の主な構成部品であるスクリーン２２とスクリュー２３および駆動装置２９のそれぞれを組立分解可能と構成としたので、それらを個々に分離して雨水吐室出入口１０Ｃから雨水吐室１０に搬入することができ、その搬入を容易に行うことができるという効果がある。また、前記スクリーン２２およびスクリュー２３はさらに分割可能な構造とすることもでき、その分割によって、前記スクリーン２２およびスクリュー２３は、それぞれの径が雨水吐室出入口１０Ｃより小さければ、それらの長さに関係なく雨水吐室出入口１０Ｃよりいっそう容易に搬入することができるという効果がある。さらに、雨水吐室１０に設置が容易なだけではなく、マンホール（下水道施設計画・設計指針と解説２００１年版）に設置することも簡単である。
【００２７】
さらに、前記スクリーン２２は、雨天時における雨水吐室１０の上流側１０Ａの水位と同等、またはその水位より低い位置となるように既設の越流堰１１の下流側で、その越流堰１１に沿って水平に設置すればよいので、従来のバースクリーンを既設の越流堰に設置する場合に不可欠とする越流堰の大がかりなはつり工事を必要とせずに、既設の越流堰にそのまま設置することができ、したがって、土木工事費を削減できるという効果がある。さらに、スクリーン２２の設置によって損失水頭が大きくなることがないので、上流側の水位が上昇することを防ぐこともできる。
【００２８】
さらに、上記実施の形態１によれば、スクリュー２３の駆動制御系統として住宅用鋼管引込小柱１８に電力量計１９と開閉器２０を付帯させるのみで、そのほかは、従来のような油圧ユニットを必要とせず、水没式防水型の電動機（駆動装置２９）のみでスクリュー２３を回転駆動するので、コンパクトな駆動装置２９になるという効果がある。また、防水型制御盤を内蔵した防水端子箱１７を雨水吐室１０内に設置できるので、従来の油圧ユニットのように周辺環境の美観を損なうこともなくなるという効果がある。
【００２９】
なお、制御のための水位計１６としては投込式水位計のほか超音波水位計など水位を測定できるものであればよい。
また、制御盤の設置は、電力量計以外の主開閉器、開閉器、シーケンサー、非常通報装置を防水制御盤（防水端子箱１７）内に納めて雨水吐室１０に設置する吐室全設置方式としたことで、地上設備をスリムにできるという効果がある。その設置の都合で、主開閉器、開閉器を電力量計と共に住宅用鋼管引込小柱１８に設置する一部吐室設置方式、地上部に場所がある場合には、前記防水制御盤に主開閉器、シーケンサー、非常通報装置を納めて埋設する地上埋設方式とすることもできる。いずれの場合も電気系統のみを管理すればよいので、保守管理も容易となる。なお、ハンディコントローラを用いて地上部からろ過装置を操作することもできる。
さらに、コストは、電動機の消費電力分だけであって、ろ過装置設置の際の人孔の改造工事も不要で、かつ自動運転であって、捕捉した夾雑物を自動的に遮集管渠１４に移送できるので、し渣処理分作業を必要とせず、その維持管理が必要でないことから、安価になるという効果がある。
【００３０】
実施の形態２．
図１０はリボンスクリューの場合の本発明のろ過装置を示す拡大平面図であり、図３と同一部分には同一符号を付して重複説明を省略する。
この実施の形態２では、上記実施の形態１における軸のあるスクリューを軸のないリボンスクリューにしたものである。
このようにすることにより、大きな夾雑物がつかえることが更になくなり、軸がない分、処理量を更に増加させることができる。ここでは、スクリュー末端に集約した夾雑物をスクレーパで流入側に返したが、夾雑物を返せる形状ならどのような形状でもよい。
【００３１】
実施例１．
上記実施の形態によるろ過装置を実際に運転して処理した結果について以下に説明する。なお、ろ過装置の設置場所は雨水吐室とし、スクリューを制御する制御盤も雨水吐室に備えた。また、スクリューの外周縁部にはブラシを取り付けたスクリューを用いた。
スクリーン径φ５００ｍｍ、スクリーン長（パンチング部分）２．３ｍ、パンチング穴径６ｍｍ、最大処理能力約０．６９ｍ３／ｓｅｃ（最大越流量０．９６ｍ３／ｓｅｃ）、超音波水位計で行った。流入水量０．０７〜０．１０（ｍ３／ｓｅｃ）、堰高１１ａは０．３ｍ、堰長１１ｂは４．０ｍで運転を行った。７月から翌年２月までの総降雨量は８５２ｍｍで、越流回数は３４回で、累計６７時間３９分の自動運転を実施したところ、ろ過装置は正常に稼働し夾雑物による閉塞や摩耗、損傷などがなく順調に運転できた。
【００３２】
その運転時における夾雑物成分（越流回数３４回のうち７回の平均値であり、サンプリング量は１５Ｌ）をスクリーン通過前と通過後とで比較したところ、図９の表に示す結果となり、流入下水中の夾雑物の約９５％を除去できた。なお、その他は砂利や砂礫などである。
【００３３】
実施例２．
従来例のバースクリーンによるろ過装置と本発明のスクリーンによるろ過装置を比較した結果を以下に説明する。
本発明のろ過装置は、スクリーン２２の穴径が４ｍｍ、開口率４８％で実施した。従来例のバースクリーンは目幅４ｍｍ、開口効率５０％で実施した。対象水は清水で行った。
本発明のろ過装置の堰長を１、１．５、２、２．５、３ｍと変化させ、スクリュー２３の直径が３０，５０，７０ｃｍで実施したところ、図１１の表に示すように、例えば、堰長２ｍでスクリュー径が３０ｃｍ、５０ｃｍ、７０ｃｍの場合、損失水頭が１４．５ｃｍ、２２．２ｃｍ、２６．９ｃｍであり、処理水量は０．１９６ｍ３／ｓｅｃ、０．３７１ｍ３／ｓｅｃ、０．４９５ｍ３／ｓｅｃであった。従来例のろ過装置では、例えばバースクリーンの堰長２ｍで、スクリーン呼び高さ３０ｃｍの場合、損失水頭が４２．６ｃｍ、処理水量は０．２９４ｍ３／ｓｅｃであった。なお、スクリーン呼び高さ３０ｃｍはスクリュー径５０ｃｍに対応する。
このことから、本発明のスクリーンと従来例のバースクリーンとでは、ほぼ同等の開口率でも本発明の損失水頭は従来例の半分以下となった。また、堰長を変化させ、処理水量が変わっても本発明の場合は損失水頭が従来例のバースクリーンより低く運転できた。このことで本発明のろ過装置は上流側に影響が少ないことが明らかである。
【００３４】
なお、上記各実施の形態では、ろ過装置２１を雨水吐室１０に設置する場合について説明したが、本発明のろ過装置は人孔に設置することもでき、この場合も同様の効果を奏するものである。また、制御盤（防水端子箱）１７についても人孔に設置できるものであり、この場合も同様の効果を奏する。
【００３５】
実施例３．
上記実施の形態２によるろ過装置を実際に運転して処理した結果について以下に説明する。なお、ろ過装置の設置場所は雨水吐室とし、スクリューを制御する制御盤も雨水吐室に備えた。その実施の形態２はスクリューをリボンスクリューにしたものである。
スクリーン径φ５００ｍｍ、スクリーン長（パンチング部分）２．３ｍ、パンチング穴径６ｍｍ、最大処理能力１．３８ｍ３／ｓｅｃ（最大越流量１．９２ｍ３／ｓｅｃ）、超音波水位計で行った。流入水量０．１４〜０．２（ｍ３／ｓｅｃ）、堰高１１ａは０．３ｍ、堰長１１ｂは４．０ｍで自動運転を実施したところ、ろ過装置は正常に稼働し夾雑物による閉塞や摩耗、損傷などがなく順調に運転できた。
スクリューをリボンスクリューに変えても、夾雑物の除去率は約９４％となってほぼ同等の処理ができ、大きな夾雑物がつかえたりすることが更になくなり、処理水量が更に増加できた。
【図面の簡単な説明】
【００３６】
【図１】この発明の実施の形態１によるろ過装置を備えた雨水吐室を破断して示す斜視図である。
【図２】図１の概略断面図である。
【図３】図１中のろ過装置を拡大して示す平面図である。
【図４】図３の一部切欠正面図である。
【図５】図４の断面図である。
【図６】スクリューのブラシ取付部の拡大断面図である。
【図７】動作説明図である。
【図８】本発明の実施の形態１によるろ過装置を示す概略断面図である。
【図９】夾雑物成分をスクリーン通過前と通過後で比較した結果を示す表である。
【図１０】リボンスクリューの場合の本発明のろ過装置を拡大して示す平面図である。
【図１１】実施例２の運転結果を示す表である。
【図１２】従来のバースクリーンが設置された雨水吐室を示す概略縦断正面図である。
【図１３】図１２の概略縦断側面図である。
【符号の説明】
【００３７】
１０  雨水吐室
１０Ａ  上流側
１０Ｂ  下流側
１０Ｃ  雨水吐室出入口
１１  越流堰
１１ａ  堰高
１１ｂ  堰長
１２，１３  流入管渠
１４  遮集管渠
１５  放流管渠
１６  投込式水位計
１７  防水端子箱（制御盤）
１８  住宅用鋼管引込小柱
１９  電力量計
２０  開閉器
２１  ろ過装置
２２  スクリーン
２２ａ  固定板
２３  スクリュー
２３ａ  スクリュー軸
２４  ブラシ
２５  ブラシ止め具
２６  ボルト・ナット
２７  集約部
２８  吐き出し補助板
２９  駆動装置
３０  スクレーパ機
３１  スクレーパ
３１ａ  カム係合部材（スクレーパ支え板）
３１ｂ  首振り底板部
３１ｃ  ヒンジ
３２  偏心カム
【図１】
2005177690.tif 000003
【図２】
2005177690.tif 000004
【図３】
2005177690.tif 000005
【図４】
2005177690.tif 000006
【図５】
2005177690.tif 000007
【図６】
2005177690.tif 000008
【図７】
2005177690.tif 000009
【図８】
2005177690.tif 000010
【図９】
2005177690.tif 000011
【図１０】
2005177690.tif 000012
【図１１】
2005177690.tif 000013
【図１２】
2005177690.tif 000014
【図１３】
2005177690.tif 000015